(57)【要約】【課題】書き込み対象タグと書き込み対象ではないタグが混在するような場合であっても書き込みの手間を軽減することができるタグ発行装置、データ書き込み装置およびプログラムを提供する。【解決手段】タグ発行装置１０１が無線ＩＣタグ２００の発行の際に、書き込み可能タグであることを表す識別値を無線ＩＣタグ２００に書き込むとともに、データ書き込み装置１０２が無線ＩＣタグ２００に対してデータの書き込みを行う際に、書き込み可能タグであることを表す識別値が含まれている無線ＩＣタグ２００を探索し、探索された無線ＩＣタグ２００に対してのみ書込データを発信する。これにより、書き込み対象タグと書き込み対象ではないタグが混在するような場合であっても、書き込み対象のタグにのみデータを書き込むことができる。【選択図】図１
2010140464.tif 000002
【特許請求の範囲】
【請求項１】
物体の識別に利用される無線ＩＣタグを発行するタグ発行装置において、
前記無線ＩＣタグの発行の際に、書き込み可能タグであることを表す識別値を前記無線ＩＣタグに書き込む値書込手段を備える、
ことを特徴とするタグ発行装置。
【請求項２】
前記値書込手段により書き込まれる前記識別値は、可変値をとる、
ことを特徴とする請求項１に記載のタグ発行装置。
【請求項３】
物体の識別に利用される無線ＩＣタグに対してデータの書き込みを行うデータ書き込み装置において、
前記無線ＩＣタグに対してデータの書き込みを行う際に、書き込み可能タグであることを表す識別値を設定する値設定手段と、
前記無線ＩＣタグの保持する情報を読み取る情報読取手段と、
前記情報読取手段により読み取られた情報に前記設定手段により設定された前記識別値が含まれている前記無線ＩＣタグを探索する探索手段と、
前記探索手段により探索された前記無線ＩＣタグに対してのみ書込データを発信するデータ発信手段と、
を備えることを特徴とするデータ書き込み装置。
【請求項４】
前記データ発信手段は、前記無線ＩＣタグのメモリ部のユーザ領域に書き込まれている前記識別値を消去する、
ことを特徴とする請求項３記載のデータ書き込み装置。
【請求項５】
物体の識別に利用される無線ＩＣタグを発行するタグ発行装置を制御するコンピュータを、
前記無線ＩＣタグの発行の際に、書き込み可能タグであることを表す識別値を前記無線ＩＣタグに書き込む値書込手段として機能させる、
ことを特徴とするプログラム。
【請求項６】
物体の識別に利用される無線ＩＣタグに対してデータの書き込みを行うデータ書き込み装置を制御するコンピュータを、
前記無線ＩＣタグに対してデータの書き込みを行う際に、書き込み可能タグであることを表す識別値を設定する値設定手段と、
前記無線ＩＣタグの保持する情報を読み取る情報読取手段と、
前記情報読取手段により読み取られた情報に前記設定手段により設定された前記識別値が含まれている前記無線ＩＣタグを探索する探索手段と、
前記探索手段により探索された前記無線ＩＣタグに対して書込データを発信するデータ発信手段と、
として機能させることを特徴とするプログラム。
【発明の詳細な説明】
【技術分野】
【０００１】
本発明は、タグ発行装置、データ書き込み装置およびプログラムに関する。
【背景技術】
【０００２】
近年、ＩＣチップとアンテナを内蔵し、専用のリーダライタとアンテナを介して非接触で通信を行うことにより、ＩＣチップのメモリに情報が書き込まれたり、同メモリに記憶されている情報が読取られたりする小型の媒体が開発されている。この媒体は、予め製造段階で固有の識別情報いわゆるＩＤが書換え不能に記憶されており、リーダライタは、このＩＤを基に媒体を個々に認識して情報の読取りや書込みを行う。そこで、この媒体を認識が必要な対象物に付すとともに、この対象物に関する情報をＩＣチップで記憶することによって、リーダライタに接続されたホストは、リーダライタで読取られた媒体からの情報により当該媒体が付された対象物を特定することができる。このため一般に、この種の媒体は、ＲＦＩＤ（Radio  Frequency  Identification）等と称され、物流情報管理や個人情報管理などの様々な情報管理システムでの利用が提案されている。
【０００３】
ＲＦＩＤは、従来のバーコードシステムのように、１つ１つの荷札にリーダライタをあてる必要がないため、離れた場所から複数の荷札をまとめて読み込むことができ、かつ、複数の荷札に対してまとめて書き込むことができる。例えば、特許文献１には、衣料の一点毎に取り付けられる無線式のＩＣタグと、このタグの複数個に対して無線通信で一斉に情報の読み出しおよび書き込みを行うリーダライタとを備えた衣料管理システムが開示されている。
【発明の概要】
【発明が解決しようとする課題】
【０００４】
流通小売業界、特に衣料品業界においては、出荷情報等を書き込んだＲＦＩＤタグが付されたシャツやジャケット等の衣料品が店舗に新規に入荷されると、店舗では新規に入荷された衣料品のＲＦＩＤタグに対して入荷検品情報などを新たなデータとして書き込むことになる。
【０００５】
ところで、ハンガーなどに掛けられた状態で入荷されるシャツやジャケット等の衣料品は、吊り下げて保持しなければならない商品特性や設置場所の関係などから、既に入荷済み処理されて店頭やバックヤードに吊るされた衣料品と混在される場合がある。しかしながら、既に入荷済み処理された衣料品と混在させた状態で新規に入荷された衣料品のＲＦＩＤタグに対して入荷検品情報などを新たなデータとして書き込もうとすると、既に入荷済み処理された衣料品のＲＦＩＤタグに対しても入荷検品情報が書き込まれてしまうという問題がある。
【０００６】
そのため、従来においては、既に入荷済み処理された衣料品と混在されている状態の新規に入荷された衣料品のＲＦＩＤタグに対して、入荷検品情報などを新たなデータとして書き込む場合には、書き込み装置に金属製の覆いを設けるとともに新規に入荷された衣料品のＲＦＩＤタグに書き込み装置を近づけて書き込むようにすることで、既に入荷済み処理された衣料品のＲＦＩＤタグに対する電波を遮断するなどしている。しかしながら、これでは、従来のバーコードシステムとはほとんど変わらないことになり、ＲＦＩＤタグを用いたシステムにおける非接触であって高効率であるという優位性が失われてしまう。
【０００７】
本発明は、上記に鑑みてなされたものであって、書き込み対象タグと書き込み対象ではないタグが混在するような場合であっても書き込みの手間を軽減することができるタグ発行装置、データ書き込み装置およびプログラムを提供することを目的とする。
【課題を解決するための手段】
【０００８】
上述した課題を解決し、目的を達成するために、本発明は、物体の識別に利用される無線ＩＣタグを発行するタグ発行装置において、前記無線ＩＣタグの発行の際に、書き込み可能タグであることを表す予め定められた識別値を前記無線ＩＣタグに書き込む値書込手段を備える、ことを特徴とする。
【０００９】
また、本発明は、物体の識別に利用される無線ＩＣタグに対してデータの書き込みを行うデータ書き込み装置において、前記無線ＩＣタグに対してデータの書き込みを行う際に、書き込み可能タグであることを表す識別値を設定する値設定手段と、前記無線ＩＣタグの保持する情報を読み取る情報読取手段と、前記情報読取手段により読み取られた情報に前記設定手段により設定された前記識別値が含まれている前記無線ＩＣタグを探索する探索手段と、前記探索手段により探索された前記無線ＩＣタグに対してのみ書込データを発信するデータ発信手段と、を備えることを特徴とする。
【００１０】
また、本発明は、物体の識別に利用される無線ＩＣタグを発行するタグ発行装置を制御するコンピュータを、前記無線ＩＣタグの発行の際に、書き込み可能タグであることを表す予め定められた識別値を前記無線ＩＣタグに書き込む値書込手段として機能させる、ことを特徴とする。
【００１１】
また、本発明は、物体の識別に利用される無線ＩＣタグに対してデータの書き込みを行うデータ書き込み装置を制御するコンピュータを、前記無線ＩＣタグに対してデータの書き込みを行う際に、書き込み可能タグであることを表す識別値を設定する値設定手段と、前記無線ＩＣタグの保持する情報を読み取る情報読取手段と、前記情報読取手段により読み取られた情報に前記設定手段により設定された前記識別値が含まれている前記無線ＩＣタグを探索する探索手段と、前記探索手段により探索された前記無線ＩＣタグに対して書込データを発信するデータ発信手段と、として機能させることを特徴とする。
【発明の効果】
【００１２】
本発明によれば、書き込み対象タグと書き込み対象ではないタグが混在するような場合であっても書き込みの手間を軽減することができる、という効果を奏する。
【図面の簡単な説明】
【００１３】
【図１】図１は、本発明の実施の一形態にかかるＲＦＩＤ処理システムの構成を示すブロック図である。
【図２】図２は、ＲＦＩＤタグの要部構成を示すブロック図である。
【図３】図３は、ＲＦＩＤハンディ端末の要部構成を示すブロック図である。
【図４】図４は、ＲＦＩＤタグ発行システムの要部構成を示すブロック図である。
【図５】図５は、商品マスタデータベースのデータ構成を示す模式図である。
【図６】図６は、ＲＦＩＤ処理システムの特徴的な機能構成を示すブロック図である。
【図７】図７は、タグ初期化処理の流れを示すフローチャートである。
【図８】図８は、一斉書き込み処理の流れを示すフローチャートである。
【図９】図９は、一斉データ書き込み処理の流れを示すフローチャートである。
【発明を実施するための形態】
【００１４】
以下に添付図面を参照して、この発明にかかるタグ発行装置、データ書き込み装置およびプログラムの最良な実施の形態を詳細に説明する。
【００１５】
本発明の実施の一形態を図１ないし図９に基づいて説明する。本実施の形態は、流通小売業界、特に衣料品業界で用いられるＲＦＩＤ（Radio  Frequency  Identification）処理システムを適用した例である。
【００１６】
ここで、ＲＦＩＤ（Radio  Frequency  Identification）タグとは、ＩＤ情報を埋め込んだタグ（微小な無線ＩＣチップ）から、電磁界や電波などを用いた近距離（周波数帯によって数ｃｍ〜数ｍ）の無線通信によって情報をやりとりすることによって、物体の識別に利用されるものである。
【００１７】
図１は、本発明の実施の一形態にかかるＲＦＩＤ処理システム１００の構成を示すブロック図である。図１に示すように、ＲＦＩＤ処理システム１００は、タグ発行装置であるＲＦＩＤタグ発行システム１０１と、データ書き込み装置であるＲＦＩＤハンディ端末１０２とを備えている。図１に示すように、ＲＦＩＤタグ発行システム１０１は、ホスト装置１２０とＲＦＩＤプリンタ１２１とで構成されている。ＲＦＩＤタグ発行システム１０１は、シャツやジャケット等の衣料品に付されるＲＦＩＤタグ２００に対する印字や出荷情報等のデータ書き込みを行うものである。また、ＲＦＩＤハンディ端末１０２は、出荷情報等を書き込んだＲＦＩＤタグ２００が付されたシャツやジャケット等の衣料品が店舗に新規に入荷されると、新規に入荷された衣料品のＲＦＩＤタグ２００に対して入荷検品情報などの新たなデータを書き込むものである。
【００１８】
図２は、ＲＦＩＤタグ２００の要部構成を示すブロック図である。図２に示すように、ＲＦＩＤタグ２００は、アンテナ２０１とＩＣチップ２０２とで構成されている。ＩＣチップ２０２は、アンテナ２０１で受信した変調波の整流と安定化を行うことによりＩＣチップ２０２の各部に電源を供給する電源生成部２０３、上記変調波を復調して制御部２０５へ送出する復調部２０４、制御部２０５から送出されたデータを変調してアンテナ２０１に送出する変調部２０６、復調部２０４で復調されたデータをメモリ部２０７に書込んだり、メモリ部２０７からデータを読み出して変調部２０６へ送出したりする制御部２０５、及びＥＥＰＲＯＭ等の不揮発性の書換え可能なメモリ部２０７等で構成されている。メモリ部２０７には、当該ＲＦＩＤタグ２００の製造段階で製造業者により割当て設定された固有の識別情報であるＩＤが予め記憶されている。また、ユーザが任意のデータを書込むことができるユーザ領域が確保されている。そしてこのユーザ領域に、書き込み可能タグであることを表す識別値である一斉書き込み対象フラグデータが可変自在に記憶されている。
【００１９】
図３は、ＲＦＩＤハンディ端末１０２の要部構成を示すブロック図である。図３に示すように、ＲＦＩＤハンディ端末１０２は、ＲＦＩＤリーダライタ１１０、アンテナ１１１、操作パネル１１２、通信インターフェイス１１３、記憶部１１４及び制御部１１５等を備えている。
【００２０】
アンテナ１１１は、ＲＦＩＤリーダライタ１１０の制御により変調波を発信し、この変調波を受信したＲＦＩＤタグ２００から発信される変調波を受信するものである。ＲＦＩＤリーダライタ１１０は、アンテナ１１１から発信される変調波が到達し得る交信領域内に存在するＲＦＩＤタグ２００のメモリ部２０７からデータを非接触で読取ったり、当該メモリ部２０７にデータを非接触で書き込んだりする。
【００２１】
操作パネル１１２には、各種キーや表示部等が設けられている。通信インターフェイス１１３には、各種外部装置が接続可能である。
【００２２】
記憶部１１４には、各種プログラムやＲＦＩＤ書込データが記憶されている。ここで、ＲＦＩＤ書込データは、ＲＦＩＤタグ２００のメモリ部２０７に書き込むべき情報である。記憶部１１４は、例えばフラッシュメモリであるＳＲＡＭ（Static  Random  Access  Memory）である。
【００２３】
制御部１１５は、ＲＦＩＤリーダライタ１１０、操作パネル１１２、通信インターフェイス１１３、記憶部１１４をそれぞれ制御するものである。制御部１１５は、外部機器から通信インターフェイス１１３を介してＲＦＩＤ発行ジョブを受信すると、このジョブに含まれているＲＦＩＤ書込データを記憶部１１４に記憶する。
【００２４】
図４は、ＲＦＩＤタグ発行システム１０１の要部構成を示すブロック図である。ホスト装置１２０は、例えば一般的なパーソナルコンピュータであって、図４に示すように、制御部本体としてＣＰＵ（Central  Processing  Unit）１２２が搭載されている。そしてこのＣＰＵ１２２に、アドレスバス，データバス等のバスライン１３０を介して、ＲＯＭ（Read  Only  Memory）１２３，ＲＡＭ（Random  Access  Memory）１２４，ＨＤＤ（Hard  Disk  Drive）装置１２５，通信コントローラ１２６，キーボード１２７，ディスプレイ１２８及びプリンタインターフェイス１２９等が接続されている。プリンタインターフェイス１２９にはＲＦＩＤプリンタ１２１が接続されている。ＨＤＤ装置１２５には、各種データベースが格納されている。例えば、ＨＤＤ装置１２５には、図５に示すような商品マスタデータベースＤＢが格納されている。図５に示す商品マスタデータベースＤＢでは、ＳＫＵ（Stock Keeping Unit）コードと、商品名と、一斉書き込みタグであることを示すフラグとによりデータが構成されている。
【００２５】
一方、ＲＦＩＤプリンタ１２１は、図４に示すように、ＲＦＩＤリーダライタ１３９、アンテナ１４０、操作パネル１３２、通信インターフェイス１３３、印刷ヘッド１３４、ヘッド駆動部１３５、搬送系駆動部１３６、記憶部１３７、ホストインターフェイス１３１及び制御部１３８等を備えている。
【００２６】
アンテナ１４０は、ＲＦＩＤリーダライタ１３９の制御により変調波を発信し、この変調波を受信したＲＦＩＤタグ２００から発信される変調波を受信するものである。ＲＦＩＤリーダライタ１３９は、アンテナ１４０から発信される変調波が到達し得る交信領域内に存在するＲＦＩＤタグ２００のメモリ部２０７からデータを非接触で読取ったり、当該メモリ部２０７にデータを非接触で書き込んだりする。
【００２７】
操作パネル１３２には、各種キーや表示部等が設けられている。通信インターフェイス１３３には、各種外部装置が接続可能である。
【００２８】
印刷ヘッド１３４は、ヘッド駆動部１３５により駆動され、ＲＦＩＤタグ２００の印刷面に種々の情報を印刷するものである。この印刷ヘッド１３４としては、例えばサーマルヘッドが用いられる。
【００２９】
搬送系駆動部１３６は、ＲＦＩＤタグ２００をアンテナ１４０との交信領域内や印刷ヘッド１３４による印字領域内に順次搬送する搬送機構（図示せず）を制御する。
【００３０】
記憶部１３７には、各種プログラム、ＲＦＩＤ書込データ及び印字データが記憶されている。ここで、ＲＦＩＤ書込データは、ＲＦＩＤタグ２００のメモリ部２０７に書き込むべき情報である。印字データは、ＲＦＩＤタグ２００の表面に印刷するべき情報である。
【００３１】
ホストインターフェイス１３１にはホスト装置１２０が接続されている。
【００３２】
制御部１３８は、ＲＦＩＤリーダライタ１３９、操作パネル１３２、通信インターフェイス１３３、ヘッド駆動部１３５、搬送系駆動部１３６、記憶部１３７、ホストインターフェイス１３１をそれぞれ制御するものである。制御部１３８は、ホスト装置１２０からホストインターフェイス１３１を介してＲＦＩＤ発行ジョブを受信すると、このジョブに含まれているＲＦＩＤ書込データ及び印字データを記憶部１３７に記憶する。
【００３３】
次に、本実施の形態のＲＦＩＤ処理システム１００の特徴的な処理について説明する。ＲＦＩＤタグ発行システム１０１のＲＦＩＤプリンタ１２１の制御部１３８やＲＦＩＤハンディ端末１０２の制御部１１５は、ＡＳＩＣやＣＰＵ等の処理装置、動作を制御する所定のプログラムが格納されたＲＯＭや当該処理装置のワーク領域となるＲＡＭ等の記憶装置を備えており（何れも図示せず）、当該処理装置と記憶装置に格納されたプログラムとの協働により、図６に示すように、値書込手段である値書込部１０、値設定手段である値設定部２０、情報読取手段である情報読取部３０、探索手段である探索部４０、データ発信手段であるデータ発信部５０の各機能部を実現するものとする。
【００３４】
［ＲＦＩＤタグ発行システム１０１によるタグ初期化処理］
まず、ＲＦＩＤタグ発行システム１０１のＲＦＩＤプリンタ１２１の制御部１３８が実行する処理の内、特徴的な処理であるタグ初期化処理について図７のフローチャートを参照して説明する。
【００３５】
図７に示すように、ＲＦＩＤプリンタ１２１の制御部１３８は、ＲＦＩＤタグ２００の印刷面に印刷（例えば、商品情報の印字）を行った後（ステップＳ１）、当該ＲＦＩＤタグ２００が一斉書き込みタグか否かを判定する（ステップＳ２）。一斉書き込みタグであるか否かの判断は、ホスト装置１２０内の商品マスタデータベースＤＢにおける一斉書き込みタグであることを示すフラグで判定する。
【００３６】
ＲＦＩＤプリンタ１２１の制御部１３８は、ＲＦＩＤタグ２００が一斉書き込みタグであると判定した場合（ステップＳ２のＹｅｓ）、識別値である予め定められた“初期値”を一斉書き込み対象フラグデータとしてＲＦＩＤタグ２００のメモリ部２０７のユーザ領域に書き込み（ステップＳ３：値書込部１０）、次のＲＦＩＤタグ２００に対するタグ初期化処理に移る。
【００３７】
一方、ＲＦＩＤプリンタ１２１の制御部１３８は、ＲＦＩＤタグ２００が一斉書き込みタグでないと判定した場合（ステップＳ２のＮｏ）、そのまま、次のＲＦＩＤタグ２００に対するタグ初期化処理に移る。
【００３８】
なお、本実施の形態においては、識別値である予め定められた“初期値”を一斉書き込み対象フラグデータとしてＲＦＩＤタグ２００のメモリ部２０７のユーザ領域に書き込むようにしたが、これに限るものではなく、書き込み可能タグであることを表す識別値を予め定められた値ではない可変値である入力値にしても良い。このように書き込み可能タグを表す識別値を可変値である入力値にして、書き込み時に動的に決定することにより、書き込み時にどのＲＦＩＤタグ２００に書き込むかを決定することができ、あらかじめ、データが書き込まれているＲＦＩＤタグ２００を用意すれば、タグ発行時に初期化を行う必要もなくなる。
【００３９】
［ＲＦＩＤハンディ端末１０２による一斉書き込み処理］
次に、ＲＦＩＤハンディ端末１０２の制御部１１５が実行する処理の内、特徴的な処理である一斉書き込み処理について図８及び図９のフローチャートを参照して説明する。
【００４０】
図８に示すように、ＲＦＩＤハンディ端末１０２の制御部１１５は、デフォルト値（初期値）で一斉書き込みを指定する書き込みモードである場合には（ステップＳ１１のＹｅｓ）、探索対象となる識別値である“一斉書き込み対象フラグデータ”を“初期値”に設定して（ステップＳ１２：値設定部２０）、一斉データ書き込み処理を実行する（ステップＳ１３）。
【００４１】
一方、ＲＦＩＤハンディ端末１０２がデフォルト値（初期値）で一斉書き込みを指定する書き込みモードでない場合には（ステップＳ１１のＮｏ）、操作パネル１１２に設定画面を表示し（ステップＳ１４）、操作パネル１１２を介してユーザが入力した一斉書き込み対象フラグデータの入力を受け付けると（ステップＳ１５）、探索対象となる識別値である“一斉書き込み対象フラグデータ”を“入力値”に設定した後（ステップＳ１６：値設定部２０）、一斉データ書き込み処理を実行する（ステップＳ１３）。
【００４２】
ここで、ステップＳ１３の一斉データ書き込み処理について説明する。一斉データ書き込み処理は、まず、陳列商品のＲＦＩＤタグ２００をスキャンし（ステップＳ２１：情報読取部３０）、ＲＦＩＤタグ２００のメモリ部２０７のユーザ領域の“一斉書き込み対象フラグデータ”を探索して一斉書き込み対象タグが有るか否かを判断する（ステップＳ２２：探索部４０）。例えば、デフォルト値（初期値）で一斉書き込みを指定する書き込みモードでは、“一斉書き込み対象フラグデータ”が“初期値”であるＲＦＩＤタグ２００を一斉書き込み対象タグとして探索する。また、入力値で一斉書き込みを指定する書き込みモードでは、“一斉書き込み対象フラグデータ”が“入力値”であるＲＦＩＤタグ２００を一斉書き込み対象タグとして探索する。
【００４３】
一斉書き込み対象タグが有る場合は（ステップＳ２２のＹｅｓ）、ＲＦＩＤ書込データを一斉書き込み対象タグであるＲＦＩＤタグ２００に発信するとともに（ステップＳ２３：データ発信部５０）、ＲＦＩＤタグ２００のメモリ部２０７のユーザ領域の書き込み対象フラグデータを消去する（ステップＳ２４：データ発信部５０）。これにより、ＲＦＩＤ書込データが書き込まれたＲＦＩＤタグ２００を、以降の書き込み対象から外すことができる。
【００４４】
ステップＳ２１に戻り、もう一度陳列商品のＲＦＩＤタグ２００のスキャンを行い、一斉書き込み対象タグが有る場合は（ステップＳ２２のＹｅｓ）、ＲＦＩＤ書込データを一斉書き込み対象タグであるＲＦＩＤタグ２００に発信し（ステップＳ２３：データ発信部５０）、ＲＦＩＤタグ２００のメモリ部２０７のユーザ領域の書き込み対象フラグデータを消去する（ステップＳ２４：データ発信部５０）。一斉書き込み対象タグが無い場合は（ステップＳ２２のＮｏ）、一斉データ書き込み処理を終了する。以上のように、一斉データ書き込み処理においては、ＲＦＩＤタグ２００のスキャンとデータの書き込みを繰り返す。
【００４５】
このように本実施の形態によれば、ＲＦＩＤタグ発行システム１０１がＲＦＩＤタグ２００の発行の際に、書き込み可能タグであることを表す値をＲＦＩＤタグ２００に書き込むとともに、ＲＦＩＤハンディ端末１０２がＲＦＩＤタグ２００に対してデータの書き込みを行う際に、書き込み可能タグであることを表す値が含まれているＲＦＩＤタグ２００を探索し、探索されたＲＦＩＤタグ２００に対してのみ書込データを発信することにより、書き込み対象タグと書き込み対象ではないタグが混在するような場合であっても、書き込み対象のタグにのみデータを書き込むことができる。すなわち、新規入荷在庫を商品陳列棚に陳列後に、新規入荷在庫のＲＦＩＤタグ２００にのみデータを書き込むことが可能になることにより、結果として、あらゆる在庫が混在している状態でも、書き込みたいＲＦＩＤタグ２００だけに一括でデータを書き込むことができるので、ＲＦＩＤタグ２００を物理的に分別することなく、ＲＦＩＤタグ２００内のデータによって書き込み可否を判断することで、書き込み対象タグと書き込み対象ではないタグが混在するような場合であっても書き込みの手間を軽減することができる。
【符号の説明】
【００４６】
１０      値書込手段
２０      値設定手段
３０      情報読取手段
４０      探索手段
５０      データ発信手段
１０１    タグ発行装置
１０２    データ書き込み装置
【先行技術文献】
【特許文献】
【００４７】
【特許文献１】特開２００８−１６８０４５号公報
【図１】
2010140464.tif 000003
【図２】
2010140464.tif 000004
【図３】
2010140464.tif 000005
【図４】
2010140464.tif 000006
【図５】
2010140464.tif 000007
【図６】
2010140464.tif 000008
【図７】
2010140464.tif 000009
【図８】
2010140464.tif 000010
【図９】
2010140464.tif 000011